(57)【要約】【課題】電池セルの異常が発生した際に解析に要するデータの量を適切な量として解析の負担を低減させることができる電池制御装置を提供する。【解決手段】１以上の電池セルの状態を表す電池情報を取得する状態取得部と、前記状態取得部により取得された前記電池情報に基づいて異常の発生の有無を判定する診断部と、前記電池情報を記憶する記憶部と、前記異常の内容に基づいて、前記電池情報を記憶する記憶時間を設定する時間設定部と、前記診断部により前記異常が発生したと判定された場合、前記時間設定部により設定された前記記憶時間における前記電池情報を前記記憶部に記憶させる記憶制御部と、を備える電池制御装置。【選択図】図１
2019176641.tif 000002
【特許請求の範囲】
【請求項１】
１以上の電池セルの状態を表す電池情報を取得する状態取得部と、
前記状態取得部により取得された前記電池情報に基づいて異常の発生の有無を判定する診断部と、
前記電池情報を記憶する記憶部と、
前記異常の内容に基づいて、前記電池情報を記憶する記憶時間を設定する時間設定部と、
前記診断部により前記異常が発生したと判定された場合、前記時間設定部により設定された前記記憶時間における前記電池情報を前記記憶部に記憶させる記憶制御部と、
を備える電池制御装置。
【請求項２】
前記状態取得部は、前記電池セルが充放電動作中または充放電停止中であることを前記時間設定部に通知し、
前記時間設定部は、前記電池セルが前記充放電停止中であることを前記状態取得部から通知された場合、前記異常の発生時のみを前記記憶時間として設定する、
請求項１に記載の電池制御装置。
【請求項３】
前記状態取得部は、前記電池セルが充放電動作中または充放電停止中であることを前記時間設定部に通知し、
前記時間設定部は、前記電池セルが前記充放電動作中であることを前記状態取得部から通知された場合、前記異常の内容に基づいて、前記異常の発生時を含み前記異常の発生前及び前記異常の発生後の少なくとも一方を含む所定時間を前記記憶時間として設定する、
請求項１に記載の電池制御装置。
【請求項４】
前記時間設定部は、さらに、前記記憶時間において前記電池情報を記憶する時間間隔を設定し、
前記記憶制御部は、前記診断部により前記異常が発生したと判定された場合、前記時間設定部により設定された前記記憶時間における前記時間間隔ごとに前記電池情報を前記記憶部に記憶させる、
請求項３に記載の電池制御装置。
【請求項５】
前記時間設定部は、前記記憶部に記憶させる前記電池情報の項目に応じて前記時間間隔を設定する、
請求項４に記載の電池制御装置。
【請求項６】
前記状態取得部の動作の状況を監視する監視部をさらに備え、
前記記憶制御部は、前記監視部により前記状態取得部の動作異常が発生したことが検出された場合、前記動作異常の発生時における前記状態取得部の前記動作の状況を表す情報を前記記憶部に記憶させる、
請求項１から請求項５のいずれか１項に記載の電池制御装置。
【請求項７】
前記電池セルと、
請求項１から請求項６のいずれか１項に記載の電池制御装置と、
を備える電池装置。
【発明の詳細な説明】
【技術分野】
【０００１】
本発明は、電池制御装置および電池装置に関する。
【背景技術】
【０００２】
近年、ノートパソコンなどの携帯機器から電気自動車などの大型なシステムに至るまで、様々な機器に１つまたは複数の電池装置が内蔵された電池システムが使用されている。
電池装置では、各電池セルの電池状態を監視し、過充電あるいは過放電などの異常の発生時に、外部のユーザー（利用者）に異常を報知すること、または、当該電池装置からの出力を遮断することなどが行われている。
【０００３】
しかしながら、このような電池装置では、異常の報知を受けたユーザーの対応ミスが起きる場合、あるいは、当該電池装置からの出力の遮断が間に合わないような異常が発生する場合が考えられた。このような場合には、電池装置が故障する場合も考えられ、その場合、例えば、製造業者のような管理者が、当該電池装置を回収して、異常の原因調査を行う必要があった。
【０００４】
特許文献１に記載された二次電池監視回路では、蓄電セルの状態に関し、解析を行うために異常発生の履歴を記録する手法が提案されている（特許文献１参照。）。
しかしながら、特許文献１に記載された二次電池監視回路では、瞬時の情報しか記録されないため、異常がどのような経緯で発生したかを把握することができず、故障解析に時間を要する場合があった。
【０００５】
これに対して、特許文献２に記載された異常解析用データ記録装置では、異常の発生に応じて、異常の発生前後のデータに基づいて異常を解析する手法が提案されている（特許文献２参照。）。
しかしながら、このような異常解析用データ記録装置では、異常の発生をトリガとして異常の内容の区別なく記憶することが行われ、異常の内容の区別なく同容量のデータが保存されてしまう。このため、故障の解析に要するデータが多くなり、故障の解析に時間がかかってしまう場合があった。
【先行技術文献】
【特許文献】
【０００６】
【特許文献１】特開２０１５−１９５１２７号公報
【特許文献２】特開平９−１７０９３２号公報
【発明の概要】
【発明が解決しようとする課題】
【０００７】
上述のように、従来の電池に関する制御を行う装置では、電池セルの異常が発生した際に解析に要するデータの量が多く解析の負担が大きいといった問題があった。
【０００８】
本発明は、このような事情を考慮してなされたもので、電池セルの異常が発生した際に解析に要するデータの量を適切な量として解析の負担を低減させることができる電池制御装置および電池装置を提供することを課題とする。
【課題を解決するための手段】
【０００９】
本発明の一態様は、１以上の電池セルの状態を表す電池情報を取得する状態取得部と、前記状態取得部により取得された前記電池情報に基づいて異常の発生の有無を判定する診断部と、前記電池情報を記憶する記憶部と、前記異常の内容に基づいて、前記電池情報を記憶する記憶時間を設定する時間設定部と、前記診断部により前記異常が発生したと判定された場合、前記時間設定部により設定された前記記憶時間における前記電池情報を前記記憶部に記憶させる記憶制御部と、を備える電池制御装置である。
【発明の効果】
【００１０】
本発明によれば、電池セルの異常が発生した際に解析に要するデータの量を適切な量として解析の負担を低減させることができる。
【図面の簡単な説明】
【００１１】
【図１】本発明の一実施形態に係る電池制御装置を含む電池装置の概略的な構成を示す図である。
【図２】本発明の一実施形態に係る制御部の概略的な構成を示す図である。
【図３】本発明の変形例１に係る制御部の概略的な構成を示す図である。
【図４】本発明の変形例５に係る時間設定テーブルの一例を示す図である。
【図５】異常が発生した時点の時間のみを記憶時間とする場合の一例を示す図である。
【図６】異常が発生した時点よりも前の時点から後の時点までの時間を記憶時間とする場合の一例を示す図である。
【図７】異常が発生した時点よりも前の時点から後の時点までの時間を記憶時間として時間間隔が設定された場合の一例を示す図である。
【図８】異常が発生した時点とそれよりも前の時間を記憶時間とする場合の一例を示す図である。
【図９】異常が発生した時点とそれよりも後の時間を記憶時間とする場合の一例を示す図である。
【図１０】本発明の変形例６に係る制御部の概略的な構成を示す図である。
【発明を実施するための形態】
【００１２】
以下、図面を参照し、本発明の実施形態について説明する。
本実施形態では、説明の便宜上、最小単位となる電池を「電池セル」と呼ぶ。なお、「電池セル」の代わりに、「単電池」あるいは「セル」などと呼ばれてもよい。
同様に、本実施形態では、複数の電池セルを直列あるいは並列（直列と並列の組み合わせでもよい。）で有するまとまりを「電池部」と呼ぶ。なお、「電池部」の代わりに、単に「電池」（複数の電池セルのまとまりの電池）と呼ばれてもよい。
同様に、本実施形態では、電池部を備える装置を「電池装置」と呼ぶ。なお、「電池装置」の代わりに、「電池パック」、あるいは、「電池モジュール」などと呼ばれてもよい。
同様に、本実施形態では、複数の電池装置を備えるまとまりを「電池システム」と呼ぶ。なお、「電池システム」の代わりに、「組電池」などと呼ばれてもよい。
ここで、これらの呼び方は説明の便宜上のものであり、呼び方が異なっても実質的に同じものは含まれ得る。
【００１３】
図１は、本発明の一実施形態に係る電池制御装置２を含む電池装置１の概略的な構成を示す図である。
なお、本実施形態では、電気信号が流れる配線について、一部の配線に符号（図示の符号）を付し、他の配線については符号を省略するが、通常、有線で電気信号が流れるところには配線が備えられる。当該配線は、当該配線によって接続される２個以上の構成部どうしを電気的に接続する。
【００１４】
図１に示される構成について説明する。
電池装置１は、電池部Ｃ１と、プラス（＋）の出力端である接続端１１と、マイナス（−）の出力端である接続端１２と、温度センサ３１と、電流検出抵抗３２と、遮断部３３と、ヒューズ３４と、共振器３５と、通信部３６と、制御部３７と、シールド３８を備える。
【００１５】
ここで、本実施形態では、電池装置１のうち制御部３７を備えた部分が電池制御装置２に相当する。
なお、電池制御装置２は、例えば、制御部３７を備えるとともに、他の機能部を備えてもよい。図１の例では、当該他の機能部は、電池装置１のうち電池部Ｃ１および制御部３７を除いた機能部のうちの１以上である。一例として、電池装置１のうち電池部Ｃ１を除いたすべての部分を電池制御装置としてもよく、この場合、電池装置１は電池制御装置と電池部Ｃ１を備えた構成となる。
【００１６】
本実施形態では、電池部Ｃ１は、ラミネート型のリチウムイオン二次電池である。電池部Ｃ１は、７個の電池セルＢ１〜Ｂ７を備える。本実施形態では、これら７個の電池セルＢ１〜Ｂ７は直列に接続されている。
遮断部３３は、放電用の遮断部（放電遮断部５１）と、充電用の遮断部（充電遮断部５２）を備える。
【００１７】
接続端１１および接続端１２は、外部の負荷と接続する端子である。
本実施形態では、電池セルＢ１〜Ｂ７が放電するとき、電池装置１の内部において接続端１２から接続端１１への方向で電流が流れ、電池装置１の外部において接続端１１から接続端１２への方向で電流が流れる。
本実施形態では、電池セルＢ１〜Ｂ７が充電するとき、電池装置１の内部において接続端１１から接続端１２への方向で電流が流れる。
【００１８】
電池部Ｃ１において、７個の電池セルＢ１〜Ｂ７が、順番に、直列に接続されている。これら７個の電池セルＢ１〜Ｂ７のうちで隣り合う２個の電池セルは、前段の電池セルのプラス側と、後段の電池セルのマイナス側とが、接続されている。具体的には、電池セルＢ１のプラス側と電池セルＢ２のマイナス側とが接続されており、電池セルＢ２のプラス側と電池セルＢ３のマイナス側とが接続されており、以降も同様であり、電池セルＢ６のプラス側と電池セルＢ７のマイナス側とが接続されている。
ここで、本実施形態では、すべての電池セルＢ１〜Ｂ７は同一の規格のものである。
【００１９】
電池セルＢ１のマイナス側と電流検出抵抗３２の一端とが接続されている。
電流検出抵抗３２の他端と放電遮断部５１の一端とが接続されている。
放電遮断部５１の他端と充電遮断部５２の一端とが接続されている。
充電遮断部５２の他端と接続端１２とが接続されている。
電池セルＢ７のプラス側とヒューズ３４の一端とが接続されている。
ヒューズ３４の他端と接続端１１とが接続されている。
【００２０】
それぞれの電池セルＢ１〜Ｂ７のプラス側は、それぞれの配線ｓ１〜ｓ７を介して、制御部３７と接続されている。これらの配線ｓ１〜ｓ７は、電池セルＢ１〜Ｂ７にかかる電圧を検出するために備えられている。本実施形態では、これらの配線ｓ１〜ｓ７のうちの任意の２個の配線の間にかかる電圧は、当該２個の配線の間に備えられた１個以上の電池セルの両端にかかる電圧に相当する。
制御部３７には、電池装置１の外部へ所定の信号を送信するための配線ｓ１１が接続されている。
【００２１】
温度センサ３１は、電池部Ｃ１が有する電池セルＢ１〜Ｂ７の付近に配置されており、図１の例では、電池セルＢ４の付近に配置されている。
温度センサ３１は、配線ｓ２１を介して、制御部３７と接続されている。
温度センサ３１は、温度を検出し、検出された温度を表す信号を、配線ｓ２１を介して、制御部３７に出力する。
ここで、本実施形態では、温度センサ３１は、電池セルＢ１〜Ｂ７の温度を直接または間接に検出する目的で備えられている。温度センサ３１としては、本実施形態の配置に限られず、他の任意のところに備えられてもよい。
【００２２】
電流検出抵抗３２は、配線ｓ３１を介して、制御部３７と接続されている。
電流検出抵抗３２は、当該電流検出抵抗３２に流れる電流の量を表す信号を、配線ｓ３１を介して、制御部３７に出力する。
本実施形態では、電池部Ｃ１の電池セルＢ１〜Ｂ７に流れる電流と同じ電流が電流検出抵抗３２に流れる。
【００２３】
放電遮断部５１は、例えば、ＭＯＳ（Ｍｅｔａｌ  Ｏｘｉｄｅ  Ｓｅｍｉｃｏｎｄｕｃｔｏｒ）トランジスタの素子を用いて構成されている。
放電遮断部５１は、制御部３７から入力される制御信号によって、電流検出抵抗３２と充電遮断部５２との間の電流経路に電池セルＢ１〜Ｂ７の放電電流を流す状態（本実施形態では、オン状態と呼ぶ。）と、当該放電電流を遮断する（つまり、流さない）状態（本実施形態では、オフ状態と呼ぶ。）とが切り替えられる。
ここで、本実施形態では、当該放電電流は、電池装置１の内部において、接続端１２から接続端１１への方向の電流である。
なお、本実施形態では、放電遮断部５１は、放電を遮断する状態から、放電を遮断しない状態へ復帰することが可能である。
【００２４】
充電遮断部５２は、例えば、ＭＯＳトランジスタの素子を用いて構成されている。
充電遮断部５２は、制御部３７から入力される制御信号によって、放電遮断部５１と接続端１２との間の電流経路に電池セルＢ１〜Ｂ７の充電電流を流す状態（本実施形態では、オン状態と呼ぶ。）と、当該充電電流を遮断する（つまり、流さない）状態（本実施形態では、オフ状態と呼ぶ。）とが切り替えられる。
ここで、本実施形態では、当該充電電流は、電池装置１の内部において、接続端１１から接続端１２への方向の電流である。
なお、本実施形態では、充電遮断部５２は、充電を遮断する状態から、充電を遮断しない状態へ復帰することが可能である。
【００２５】
ここで、本実施形態に係る電池装置１では、すべての電池セルＢ１〜Ｂ７に対して共通に放電遮断部５１が備えられたが、他の構成例として、１個以上の任意の数の電池セルに対して放電遮断部が備えられてもよい。
同様に、本実施形態に係る電池装置１では、すべての電池セルＢ１〜Ｂ７に対して共通に充電遮断部５２が備えられたが、他の構成例として、１個以上の任意の数の電池セルに対して充電遮断部が備えられてもよい。
また、放電遮断部５１と充電遮断部５２のうちの任意の一方が備えられてもよい。
このように、電池装置１では、例えば、少なくとも１個の電池セルＢ１〜Ｂ７に対して、放電遮断と充電遮断とのうちの少なくとも一方の機能を備えてもよい。このような放電遮断あるいは充電遮断の機能は、例えば、多数の電池セルが直列あるいは並列（直列と並列との組み合わせでもよい。）に接続されて配置される場合に特に有用である。
【００２６】
ヒューズ３４は、所定値以上の電流が流れた場合に、電池Ｂ７のプラス側と接続端１１との間の電流経路を切断する。
本実施形態では、ヒューズ３４は、制御部３７から入力される制御信号によっても、切断される構成となっている。
ヒューズ３４は、例えば、過充電の保護用および過電流の保護用に用いられる。
【００２７】
共振器３５は、電池装置１の外部の送電側の装置（図示せず）からワイヤレスで送電された電力を受電する機能を有する。
共振器３５は、受電された電力を制御部３７に伝送する。
【００２８】
通信部３６は、電池装置１の外部の通信装置（図示せず）との間で信号を通信する機能を有する。通信部３６は、例えば、通信を行う回路を有する。
本実施形態では、通信部３６は、外部の通信装置から送信されてきた信号を受信し、受信された信号を制御部３７に出力する。また、通信部３６は、制御部３７から入力された信号を外部の通信装置に送信する。
ここで、通信部３６により行われる通信は、例えば、無線通信であってもよく、あるいは、有線通信であってもよい。
具体例として、無線通信として、電磁誘導を使用する通信が用いられてもよく、あるいは、Ｗｉ−Ｆｉ（登録商標）またはＢｌｕｅｔｏｏｔｈ（登録商標）等の通信が用いられてもよい。
【００２９】
通信装置としては、例えば、送電側の装置が用いられてもよく、あるいは、送電側の装置を無線などにより離隔制御する装置（リモートコントローラ）が用いられてもよい。
一例として、リモートコントローラが人により操作されることで、当該リモートコントローラから送電側の装置に送電開始の指示が送信される。これにより、送電側の装置は、受電側の装置（本実施形態では、電池装置１）に対してワイヤレス電力伝送を開始する。受電側の装置（本実施形態では、電池装置１）は、必要に応じて、所定の信号を当該リモートコントローラに送信する。
【００３０】
制御部３７は、電池装置１における各種の制御を行う。
制御部３７は、各種の情報を記憶する。制御部３７は、例えば、各種の判定あるいは各種の制御などにおいて使用される情報を記憶する。
なお、制御部３７は、各種の情報を取得する。制御部３７は、例えば、配線ｓ１〜ｓ７のそれぞれから入力される信号に基づいて、７個の電池セルＢ１〜Ｂ７のうちで、任意の１個以上の連続した電池セルの部分にかかる電圧を表す情報を取得する。また、制御部３７は、例えば、温度センサ３１から配線ｓ２１を介して入力される信号に基づいて、温度センサ３１により検出された温度を表す情報を取得する。また、制御部３７は、例えば、電流検出抵抗３２から配線ｓ３１を介して入力される信号に基づいて、電流検出抵抗３２に流れる電流を表す情報を取得する。
【００３１】
本実施形態では、制御部３７には、電池部Ｃ１に備えられた電池Ｂ１〜Ｂ７から電力が供給されることが可能であり、また、共振器３５により受電された電力が供給されることが可能である。
一例として、初期的には、制御部３７の最低限の動作に必要な電力が電池Ｂ１〜Ｂ７から制御部３７に供給されており、その後、外部から送電された電力が共振器３５により受電されると、当該電力が（自動的に）制御部３７に供給される構成とされてもよい。なお、制御部３７に電力を供給する構成としては、他の任意の構成が用いられてもよい。
【００３２】
制御部３７は、他の様々な制御を行ってもよい。
制御部３７は、電池セルＢ１〜Ｂ７の状態を監視する。
図１の例では、制御部３７は、電池セルＢ１〜Ｂ７について、充電の制御を行い、また、放電の制御を行う。また、制御部３７は、放電遮断部５１の状態をオン状態とするかあるいはオフ状態とするかを制御し、また、充電遮断部５２の状態をオン状態とするかあるいはオフ状態とするかを制御する。また、制御部３７は、ヒューズ３４を切断する制御を行う。また、制御部３７は、通信部３６により外部の装置との間で通信を行うことを制御する。
制御部３７は、例えば、マイクロプロセッサなどのプロセッサを用いて構成されてもよい。制御部３７は、例えば、２次保護用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を用いて構成されてもよい。また、制御部３７は、例えば、バッテリマネージメントシステム（ＢＭＳ：Ｂａｔｔｅｒｙ  Ｍａｎａｇｅｍｅｎｔ  Ｓｙｓｔｅｍ）の構成部として備えられてもよい。
【００３３】
シールド３８は、電池セルＢ１〜Ｂ７と共振器３５との間における電界、磁界、あるいは電磁波を遮蔽する機構を有する。
シールド３８は、例えば、金属を用いて構成されている。
なお、図１の例では、シールド３８をイメージ的に示してあるが、シールド３８の形状あるいは配置などは、電池セルＢ１〜Ｂ７と共振器３５との間における電界などを遮蔽するという目的が達せられるように、様々な態様が用いられてもよい。
電池装置１では、このようなシールド３８が備えられることで、例えば、ワイヤレス電力伝送時に漏れ磁束に起因した誘導加熱によって電池セルＢ１〜Ｂ７の温度が上昇して電池セルＢ１〜Ｂ７が劣化することを抑制（好ましくは、防止）することができる。
【００３４】
図２は、本発明の一実施形態に係る制御部３７の概略的な構成を示す図である。
また、図２には、状態出力部Ｅ１を示してある。
制御部３７は、状態取得部１１１と、診断部１１２と、時間設定部１１３と、記憶制御部１１４と、記憶部１１５を備える。
【００３５】
状態取得部１１１は、１以上の電池セルＢ１〜Ｂ７の状態を表す情報（以下、「電池情報」ともいう。）を取得する。
本実施形態では、電池装置１に備えられた状態出力部Ｅ１が、１以上の電池セルＢ１〜Ｂ７の状態を表す信号を状態取得部１１１に出力する。状態取得部１１１は、状態出力部Ｅ１から入力された信号に基づいて、電池情報を取得する。
本実施形態では、状態出力部Ｅ１は、配線ｓ１〜ｓ７、温度センサ３１および配線ｓ２１、電流検出抵抗３２および配線ｓ３１を含み、さらに、電池セルＢ１〜Ｂ７の落下を検出するための加速度センサおよびその配線（図示せず）、電池セルＢ１〜Ｂ７の液漏れを検出する液漏れセンサおよびその配線（図示せず）、電池セルＢ１〜Ｂ７の膨張を検出する膨張センサおよびその配線（図示せず）を含む。
なお、状態出力部Ｅ１は、１以上の任意の状態について、電流あるいは温度などの状態を検出した結果の信号を出力するセンサおよびその配線、あるいは、電圧などの状態を表す信号を出力する配線、などが含まれてもよい。
また、例えば、状態出力部Ｅ１がセンサあるいは配線などを複数備える場合には、それぞれのセンサあるいは配線などは、必ずしも１箇所にまとめられて配置される必要はなく、任意の箇所に配置されてもよい。
【００３６】
ここで、１以上の電池セルＢ１〜Ｂ７の状態は、例えば、それぞれの電池セルＢ１〜Ｂ７の個別の状態であってもよく、あるいは、２以上の電池セルＢ１〜Ｂ７のまとまり（例えば、電池部Ｃ１）の状態であってもよい。
【００３７】
また、１以上の電池セルＢ１〜Ｂ７の状態としては、様々な項目の状態が用いられてもよく、例えば、電池セルＢ１〜Ｂ７の電圧の状態、電池セルＢ１〜Ｂ７に流れる電流の状態、電池セルＢ１〜Ｂ７の温度の状態、電池セルＢ１〜Ｂ７の落下の状態、電池セルＢ１〜Ｂ７の液漏れの状態、あるいは、電池セルＢ１〜Ｂ７の膨張の状態などが用いられてもよい。つまり、項目として、電池セルＢ１〜Ｂ７の電圧、電池セルＢ１〜Ｂ７に流れる電流、電池セルＢ１〜Ｂ７の温度、電池セルＢ１〜Ｂ７の落下、電池セルＢ１〜Ｂ７の液漏れ、あるいは、電池セルＢ１〜Ｂ７の膨張などがあってもよい。
【００３８】
電池セルＢ１〜Ｂ７の電圧の状態を表す電池情報は、例えば、当該電圧の値である。本実施形態では、当該電圧の値として、２個の配線ｓ１〜ｓ７同士の間の電圧の値などが用いられてもよい。
電池セルＢ１〜Ｂ７に流れる電流の状態を表す電池情報は、例えば、当該電流の値である。本実施形態では、当該電流の値として、電流検出抵抗３２により検出される電流の値などが用いられてもよい。
電池セルＢ１〜Ｂ７の温度の状態を表す電池情報は、例えば、当該温度の値である。本実施形態では、当該温度の値として、温度センサ３１により検出された温度の値などが用いられてもよい。
【００３９】
電池セルＢ１〜Ｂ７の落下の状態を表す電池情報は、例えば、電池セルＢ１〜Ｂ７の加速度の値である。本実施形態では、当該加速度の値として、電池セルＢ１〜Ｂ７の付近に備えられた加速度センサ（図示せず）により検出された加速度の値などが用いられてもよい。本実施形態では、当該加速度は、電池セルＢ１〜Ｂ７の落下により発生した加速度であるとみなしている。
電池セルＢ１〜Ｂ７の液漏れの状態を表す電池情報は、例えば、電池セルＢ１〜Ｂ７の液漏れの有無を表す値である。本実施形態では、当該値として、電池セルＢ１〜Ｂ７の付近に備えられた液漏れセンサ（図示せず）により検出された値などが用いられてもよい。
電池セルＢ１〜Ｂ７の膨張の状態を表す電池情報は、例えば、電池セルＢ１〜Ｂ７の膨張の度合いを表す値である。本実施形態では、当該値として、電池セルＢ１〜Ｂ７の付近に備えられた膨張センサ（図示せず）により検出された値などが用いられてもよい。
【００４０】
本実施形態では、状態取得部１１１は、上記した複数の項目の電池情報を定期的なタイミングなどで取得しており、取得された電池情報を診断部１１２および記憶制御部１１４のそれぞれに出力する。
また、本実施形態では、電池情報は、当該電池情報が発生した時刻を表す情報（以下、「時刻情報」ともいう。）と対応付けられ、当該時刻情報を含む。当該時刻情報は、例えば、状態取得部１１１により生成されてもよく、あるいは、状態出力部Ｅ１により生成されてもよい。
【００４１】
診断部１１２は、状態取得部１１１から出力された電池情報を入力する。診断部１１２は、状態取得部１１１により取得された電池情報（入力された電池情報）に基づいて、異常の発生の有無を判定する。診断部１１２は、判定結果に基づいて、異常の発生の有無を表す情報を時間設定部１１３に送信する。
例えば、診断部１１２は、異常が発生したことを判定した場合には、異常が発生したことを表す情報を時間設定部１１３に出力して通知する。また、この場合、診断部１１２は、異常の発生時における異常の内容（発生した異常の内容）を判定して、当該異常の内容を表す情報を時間設定部１１３に出力して通知する。
また、診断部１１２は、異常が発生したことを判定しなかった場合には、異常が発生していないことを表す情報を時間設定部１１３に出力する。他の例として、診断部１１２は、異常が発生したことを判定しなかった場合には、時間設定部１１３に情報を出力しなくてもよい。
【００４２】
ここで、異常の内容は、例えば、あらかじめ設定される。そして、診断部１１２は、あらかじめ設定された異常の内容に基づいて、異常の内容に該当する事象が発生した場合に、その異常の内容に該当する異常が発生したと判定する。
異常の内容としては、様々な内容が用いられてもよい。
また、異常の内容としては、例えば、それぞれの項目ごとに異常の内容が設定されてもよく、あるいは、複数の項目の組み合わせについて異常の内容が設定されてもよい。
【００４３】
例えば、電池セルＢ１〜Ｂ７の電圧という項目について、当該電圧の値が所定の閾値以上である場合に異常が発生したとするという異常の内容が設定されてもよい。
また、電池セルＢ１〜Ｂ７に流れる電流という項目について、当該電流の値が所定の閾値以上である場合に異常が発生したとするという異常の内容が設定されてもよい。
また、電池セルＢ１〜Ｂ７の温度という項目について、当該温度の値が所定の閾値以上である場合に異常が発生したとするという異常の内容が設定されてもよい。
【００４４】
また、電池セルＢ１〜Ｂ７の落下という項目について、加速度の値が所定の閾値以上である場合に異常が発生したとするという異常の内容が設定されてもよい。
また、電池セルＢ１〜Ｂ７の液漏れという項目について、電池セルＢ１〜Ｂ７の液漏れがあることが検出された場合に異常が発生したとするという異常の内容が設定されてもよい。
また、電池セルＢ１〜Ｂ７の膨張という項目について、膨張の度合いが所定の閾値以上である場合に異常が発生したとするという異常の内容が設定されてもよい。
【００４５】
なお、異常の発生の有無の判定および異常の内容の判定は、例えば、複数の電池セルＢ１〜Ｂ７のそれぞれについて行われてもよく、あるいは、複数の電池セルＢ１〜Ｂ７のまとまりについて行われてもよい。
【００４６】
また、２個の異なる項目の組み合わせについて、例えば、第１の項目について第１の条件が満たされ、かつ、第２の項目（第２の項目は、第１の項目とは異なる。）について第２の条件が満たされた場合に異常が発生したとするという異常の内容が設定されてもよい。
また、３個以上の異なる項目の組み合わせについて、例えば、それぞれの項目についてそれぞれの条件が満たされることがすべての項目について同時に発生した場合に異常が発生したとするという異常の内容が設定されてもよい。
【００４７】
時間設定部１１３は、診断部１１２から通知された異常の内容に基づいて、当該異常に関連する電池情報を記憶する記憶時間を設定する。時間設定部１１３は、設定された記憶時間を表す情報を記憶制御部１１４に出力して通知する。
また、時間設定部１１３は、診断部１１２から異常の内容が通知されていないときには、記憶制御部１１４に記憶時間を通知しない。
【００４８】
ここで、記憶時間としては、記憶を行うべき時間帯を表し、例えば、記憶の開始時点（開始時刻）および当該記憶の終了時点（終了時刻）を用いて表される。なお、記憶の開始時点と当該記憶の終了時点とが一致してもよく、この場合、一点の時点の時間のみが記憶時間となる。記憶時間としては、例えば、異常が発生した時点の時間のみ、異常が発生した時点とそれよりも前（過去）の時間、異常が発生した時点とそれよりも後（未来）の時間、あるいは、異常が発生した時点よりも前の時点から後の時点までの時間などがある。このように、本実施形態では、記憶時間は異常が発生した時点を含む。
【００４９】
なお、異常が発生した時点は、例えば、異常が発生した電池情報の項目について、異常が発生したことを示す値（異常値）が取得された時点である。例えば、電池情報の所定の項目の値が所定の閾値以上である場合に異常が発生したと判定する場合、当該値が当該閾値以上となった時点を、異常が発生した時点とする。
また、記憶時間は、例えば、開始時点および終了時点の代わりに、開始時点および当該開始時点から終了時点までの時間により表されてもよく、あるいは、終了時点および開始時点から当該終了時点までの時間により表されてもよい。
【００５０】
記憶制御部１１４は、診断部１１２により異常が発生したと判定された場合、時間設定部１１３により設定された記憶時間における電池情報（例えば、記憶時間分の電池情報）を記憶部１１５に記憶させる。
本実施形態では、記憶制御部１１４は、時間設定部１１３から記憶時間が通知された場合に、診断部１１２により異常が発生したと判定されたとみなす。
【００５１】
記憶部１１５は、電池情報を記憶する。
本実施形態では、記憶部１１５は、記憶制御部１１４により制御されて、異常の内容に基づく記憶時間における電池情報を記憶する。記憶部１１５に記憶される電池情報は、例えば、異常の発生に関するログの情報として使用され、異常の解析などに使用され得る。
ここで、記憶部１１５に記憶される電池情報は、例えば、異常が発生したと判定された電池情報の項目の情報のみであってもよく、あるいは、他の項目の電池情報を含んでもよい。一例として、記憶部１１５に記憶される電池情報は、状態取得部１１１により取得されるすべての項目の電池情報であってもよい。他の例として、記憶部１１５に記憶される電池情報は、電池セルＢ１〜Ｂ７の電圧、電池セルＢ１〜Ｂ７に流れる電流、温度であってもよく、あるいは、これらに他の１以上の項目の情報が付加されたものであってもよい。
【００５２】
なお、本実施形態では、記憶部１１５は電池情報を長期的に保存（記憶）する目的で備えられており、例えば、制御部３７は、少なくとも電池情報が状態取得部１１１により取得されてから記憶部１１５に記憶されるまでの間、当該電池情報を一時的に記憶しておく他の記憶部（図示せず）を備えてもよい。
また、電池情報以外の情報については、例えば、制御部３７における記憶部１１５以外の記憶部（図示せず）に記憶されてもよく、あるいは、記憶部１１５に記憶されてもよい。
【００５３】
ここで、電池情報の項目に応じて記憶時間を設定する具体例を説明する。
電池セルＢ１〜Ｂ７の温度の異常について、電池セルＢ１〜Ｂ７の電圧の異常および電池セルＢ１〜Ｂ７に流れる電流の異常と比べて、記憶時間を長く設定することが好ましい。この理由は、温度の変化は、電圧の変化あるいは電流の変化よりも、緩やかである場合が多いためである。
また、電池セルＢ１〜Ｂ７が落下したという異常について、異常の発生時を含み異常の発生後の所定時間までの記憶時間を設定することが好ましい。この理由は、電池セルＢ１〜Ｂ７が落下した場合には、異常の発生前における電池情報は電池セルＢ１〜Ｂ７の落下による故障の解析には無関係である場合が多いためである。
なお、記憶時間の設定の仕方は、これに限られない。また、通常は、異常の発生時とその前後の時間における電池情報が異常の解析に役立つ場合が多いが、これに限られない。
【００５４】
以上のように、本実施形態に係る電池装置１における電池制御装置２では、異常の内容に応じて、電池情報を記憶する記憶時間を設定するため、例えば異常の内容に関わらず大量のデータを保存する場合と比べて、電池情報を記憶（保存）するデータ量を小さくすることが可能である。これにより、電池装置１における電池制御装置２では、電池セルＢ１〜Ｂ７の異常が発生した際に解析に要するデータの量を適切な量として解析の負担を低減させることができる。また、電池装置１における電池制御装置２では、記憶されるデータ量を小さくすることができることから、例えば記憶容量が同じであっても、多数の異常に関して電池情報を記憶することが可能となる。なお、異常の解析としては、例えば、故障の解析が行われてもよい。
【００５５】
［変形例１］
図３は、本発明の変形例１に係る制御部３７ａの概略的な構成を示す図である。制御部３７ａは、制御部３７の一例である。
また、図３には、状態出力部Ｅ１を示してある。状態出力部Ｅ１については、図２に示されるものと同様である。
制御部３７ａは、状態取得部２１１と、診断部２１２と、時間設定部２１３と、記憶制御部２１４と、記憶部２１５を備える。
【００５６】
ここで、診断部２１２、記憶制御部２１４、および、記憶部２１５は、それぞれ、図２に示される診断部１１２、記憶制御部１１４、および、記憶部１１５と同じ機能を有しており、詳しい説明を省略する。
また、状態取得部２１１、および、時間設定部２１３は、それぞれ、図２に示される状態取得部１１１、および、時間設定部１１３と同じ機能を有するとともに、変形例１で説明するさらなる機能を有しており、当該同じ機能については詳しい説明を省略する。
なお、説明の便宜上、図３に示されていない電池装置１および電池セルＢ１〜Ｂ７などについては、図１に示されるのと同じ符号を付して説明する。
【００５７】
状態取得部２１１は、取得された電池情報に基づいて、電池セルＢ１〜Ｂ７が充放電動作中または充放電停止中であることを表す情報を時間設定部２１３に出力して通知する。充放電動作中とは、充電動作が行われている最中であること、または、放電動作が行われている最中であること、を表す。充放電停止中とは、充電動作が行われている最中ではなく、かつ、放電動作が行われている最中でもないこと、を表す。また、本実施形態では、７個の電池セルＢ１〜Ｂ７についてまとめて充放電動作が行われるため、これら７個の電池セルＢ１〜Ｂ７について、充放電動作中であるかまたは充放電停止中であるかは共通である。
【００５８】
一例として、状態取得部２１１は、電池情報に含まれる所定の項目の値が所定の時間分の時刻の進行にともなって所定の閾値以上変化した場合に、電池セルＢ１〜Ｂ７が充放電動作中であると判定する一方、他の場合に、電池セルＢ１〜Ｂ７が充放電停止中であると判定する。ここで、所定の項目としては、例えば、それぞれの電池セルＢ１〜Ｂ７の電圧、あるいは、電池セルＢ１〜Ｂ７の全体での電圧、が用いられてもよい。つまり、時刻が進行しても電池セルＢ１〜Ｂ７の電圧の変化がゼロに近く少ない場合には、電池セルＢ１〜Ｂ７は充電も放電もしていないとみなされ得る。
【００５９】
他の例として、状態取得部２１１は、電池情報に含まれる所定の項目の値が所定の閾値以上である場合に、電池セルＢ１〜Ｂ７が充放電動作中であると判定する一方、他の場合に、電池セルＢ１〜Ｂ７が充放電停止中であると判定する。ここで、所定の項目としては、例えば、電池セルＢ１〜Ｂ７に流れる電流が用いられてもよい。つまり、電池セルＢ１〜Ｂ７に流れる電流がゼロに近く小さい場合には、電池セルＢ１〜Ｂ７は充電も放電もしていないとみなされ得る。
なお、状態取得部２１１は、例えば、電池情報以外の情報に基づいて、電池セルＢ１〜Ｂ７が充放電動作中または充放電停止中であることを判定してもよい。
【００６０】
時間設定部２１３は、電池セルＢ１〜Ｂ７が充放電停止中であることを状態取得部２１１から通知された場合、異常の発生時のみを記憶時間として設定する。そして、時間設定部２１３は、設定された記憶時間を記憶制御部２１４に通知する。
【００６１】
以上のように、変形例１に係る電池装置１における電池制御装置２では、電池セルＢ１〜Ｂ７の異常が発生した際に解析に要するデータの量を適切な量として解析の負担を低減させることができる。変形例１に係る電池装置１における電池制御装置２では、電池セルＢ１〜Ｂ７が充放電動作を行っていない場合には、異常発生前後の経過情報は必要ないことから、このような情報についてはログとして記憶しないことで、記憶データ量を削減することができる。
【００６２】
［変形例２］
変形例２では、制御部３７ａの概略的な構成は変形例１と同様であるため、説明の便宜上、図３を利用して説明する。
制御部３７ａは、状態取得部２１１と、診断部２１２と、時間設定部２１３と、記憶制御部２１４と、記憶部２１５を備える。
【００６３】
ここで、診断部２１２、記憶制御部２１４、および、記憶部２１５は、それぞれ、図２に示される診断部１１２、記憶制御部１１４、および、記憶部１１５と同じ機能を有しており、詳しい説明を省略する。
また、状態取得部２１１、および、時間設定部２１３は、それぞれ、図２に示される状態取得部１１１、および、時間設定部１１３と同じ機能を有するとともに、変形例２で説明するさらなる機能を有しており、当該同じ機能については詳しい説明を省略する。
また、状態出力部Ｅ１については、図２に示されるものと同様である。
なお、説明の便宜上、図３に示されていない電池装置１および電池セルＢ１〜Ｂ７などについては、図１に示されるのと同じ符号を付して説明する。
【００６４】
状態取得部２１１は、取得された電池情報に基づいて、電池セルＢ１〜Ｂ７が充放電動作中または充放電停止中であることを表す情報を時間設定部２１３に出力して通知する。このような機能については、例えば、変形例１で説明したのと同様である。
時間設定部２１３は、電池セルＢ１〜Ｂ７が充放電動作中であることを状態取得部２１１から通知された場合、当該異常の内容に基づいて、当該異常の発生時を含み当該異常の発生前及び当該異常の発生後の少なくとも一方を含む所定時間を記憶時間として設定する。
【００６５】
ここで、異常の発生時を含み当該異常の発生前及び当該異常の発生後の少なくとも一方を含む所定時間としては、例えば、異常が発生した時点とそれよりも前の時間、異常が発生した時点とそれよりも後の時間、あるいは、異常が発生した時点よりも前の時点から後の時点までの時間が用いられてもよい。
【００６６】
以上のように、変形例２に係る電池装置１における電池制御装置２では、電池セルＢ１〜Ｂ７の異常が発生した際に解析に要するデータの量を適切な量として解析の負担を低減させることができる。
変形例２に係る電池装置１における電池制御装置２では、例えば、発生した異常の内容に応じて記憶時間を変更することで、解析の際に不要なデータを保存することをなくし、記憶データ量を削減することができる。
【００６７】
［変形例３］
変形例３では、制御部３７ａの概略的な構成は変形例２と同様であるため、説明の便宜上、図３を利用して説明する。
変形例３では、制御部３７ａは、変形例２と同じ機能を有するとともに、時間設定部２１３および記憶制御部２１４は変形例３で説明するさらなる機能を備えている。このため、変形例３では、変形例２と同じ機能については詳しい説明を省略する。
また、状態出力部Ｅ１については、図２に示されるものと同様である。
なお、説明の便宜上、図３に示されていない電池装置１および電池セルＢ１〜Ｂ７などについては、図１に示されるのと同じ符号を付して説明する。
【００６８】
時間設定部２１３は、さらに、記憶時間において電池情報を記憶する時間間隔を設定する。
時間設定部２１３は、設定された記憶時間を記憶制御部２１４に通知する際に、設定された時間間隔を表す情報を記憶制御部２１４に出力して通知する。
ここで、記憶時間において電池情報を記憶する時間間隔は、当該記憶時間の開始時点から終了時点までの間において所定の時間間隔ごとの電池情報を記憶する場合における、当該時間間隔である。
【００６９】
記憶制御部２１４は、診断部２１２により異常が発生したと判定された場合、時間設定部２１３により設定された記憶時間における時間間隔ごとに電池情報を記憶部２１５に記憶させる。
【００７０】
ここで、電池情報の項目に応じて時間間隔を設定する具体例を説明する。
電池セルＢ１〜Ｂ７の温度の異常について、電池セルＢ１〜Ｂ７の電圧の異常および電池セルＢ１〜Ｂ７に流れる電流の異常と比べて、時間間隔を長く設定することが好ましい。この理由は、温度の変化は、電圧の変化あるいは電流の変化よりも、緩やかである場合が多いためであり、電圧の変化あるいは電流の変化は急激な変化である場合もあるためである。
また、電池セルＢ１〜Ｂ７が落下したという異常について、電池セルＢ１〜Ｂ７の電圧の異常および電池セルＢ１〜Ｂ７に流れる電流の異常と比べて、時間間隔を長く設定することが好ましい。この理由は、電池セルＢ１〜Ｂ７が落下した場合には、落下後において電池情報に急激な変化が発生する場合は少ないと考えられるためである。
なお、時間間隔の設定の仕方は、これに限られない。
【００７１】
以上のように、変形例３に係る電池装置１における電池制御装置２では、電池セルＢ１〜Ｂ７の異常が発生した際に解析に要するデータの量を適切な量として解析の負担を低減させることができる。
変形例３に係る電池装置１における電池制御装置２では、例えば、発生した異常の内容に応じて記憶時間における時間間隔を変更することで、解析の際に不要なデータを保存することをなくし、記憶データ量を削減することができる。
【００７２】
［変形例４］
変形例４では、制御部３７ａの概略的な構成は変形例３と同様であるため、説明の便宜上、図３を利用して説明する。
変形例４では、制御部３７ａは、変形例３と同じ機能を有するとともに、時間設定部２１３は変形例４で説明するさらなる機能を備えている。このため、変形例４では、変形例３と同じ機能については詳しい説明を省略する。
また、状態出力部Ｅ１については、図２に示されるものと同様である。
なお、説明の便宜上、図３に示されていない電池装置１および電池セルＢ１〜Ｂ７などについては、図１に示されるのと同じ符号を付して説明する。
【００７３】
時間設定部２１３は、記憶部２１５に記憶させる電池情報の項目に応じて時間間隔を設定する。
ここで、電池情報の項目に応じて時間間隔を設定する態様は、例えば、１つの項目に応じて時間間隔を設定する態様が用いられてもよく、あるいは、２つ以上の項目の組み合わせに応じて時間間隔を設定する態様が用いられてもよい。
なお、例えば、電池情報の項目と時間間隔との対応関係があらかじめ設定されてもよく、この場合、時間設定部２１３は、当該対応関係に基づいて、電池情報の項目に応じた時間間隔を設定する。
【００７４】
以上のように、変形例４に係る電池装置１における電池制御装置２では、電池セルＢ１〜Ｂ７の異常が発生した際に解析に要するデータの量を適切な量として解析の負担を低減させることができる。
変形例４に係る電池装置１における電池制御装置２では、例えば、記憶する電池情報の項目に応じて記憶時間における時間間隔を変更することで、解析の際に不要なデータを保存することをなくし、記憶データ量を削減することができる。
【００７５】
［変形例５］
変形例５では、変形例４における制御部３７ａの時間設定部２１３が、記憶時間および時間間隔を設定する具体例を説明する。
なお、変形例５において記憶時間を設定する構成は、例えば、図２に示される制御部３７の時間設定部１１３あるいは変形例２における制御部３７ａの時間設定部２１３に適用されてもよい。
また、変形例５において記憶時間および時間間隔を設定する構成は、例えば、変形例３における制御部３７ａの時間設定部２１３に適用されてもよい。
【００７６】
図４は、本発明の変形例５に係る時間設定テーブル１０１１の一例を示す図である。
時間設定テーブル１０１１は、例えば、制御部３７ａに設定されて記憶されている。
時間設定テーブル１０１１は、電池情報の「項目」と、「異常の内容」と、「記憶時間」と、「時間間隔」とを対応付けて格納する。「記憶時間」は、「異常発生前」と「異常発生後」とを対応付けとする。
ここで、「異常発生前」は異常の発生前の時間のうちで確保する時間を表し、「異常発生後」は異常の発生後の時間のうちで確保する時間を表す。なお、本例では、異常の発生時は、必ず、記憶時間に含まれる場合を示してある。
【００７７】
具体例として、電池情報の「項目」が電池セルＢ１〜Ｂ７の電圧である場合、「異常の内容」は当該電圧が所定の閾値以上となる場合である。この場合、「記憶時間」は、異常の発生時を含み、「異常発生前」の時間はａ１（ａ１は０以上の値）であって、つまり、異常の発生時よりも時間ａ１だけ前の時点が記憶開始時点となり、また、「異常発生後」の時間はｂ１（ｂ１は０以上の値）であって、つまり、異常の発生時よりも時間ｂ１だけ後の時点が記憶終了時点となる。また、「時間間隔」はｃ１（ｃ１は０以上の値）である。本例では、「異常発生前」の時間ａ１が０である場合には、異常発生時が記憶開始時点となる。また、本例では、「異常発生後」の時間ｂ１が０である場合には、異常発生時が記憶終了時点となる。また、本例では、「時間間隔」ｃ１が０である場合には、時間間隔が設定されていないとみなし、通常時の定期的なタイミングとして設定されている時間間隔で、記憶時間におけるすべての時間にわたって電池情報を記憶する。本実施形態では、「時間間隔」ｃ１を設定することで、通常時の定期的なタイミングとは異なる時間間隔を設定することができ、例えば、通常時の定期的なタイミングよりも長い周期の時間間隔を設定することができる。
具体例として、電池情報の「項目」が電池セルＢ１〜Ｂ７に流れる電流あるいは温度である場合についても、電池情報の「項目」が電池セルＢ１〜Ｂ７の電圧である場合と同様である。
【００７８】
また、具体例として、電池情報の「項目」が電池セルＢ１〜Ｂ７の落下である場合、「異常の内容」は電池セルＢ１〜Ｂ７の落下があった場合（図４の例では、「有」の場合）である。この場合、「記憶時間」（「異常発生前」、「異常発生後」）および「時間間隔」については、電池情報の「項目」が電池セルＢ１〜Ｂ７の電圧である場合と同様である。
また、具体例として、電池情報の「項目」が電池セルＢ１〜Ｂ７の液漏れあるいは膨張である場合についても、電池情報の「項目」が電池セルＢ１〜Ｂ７の落下である場合と同様である。
【００７９】
時間設定部２１３は、時間設定テーブル１０１１の内容を参照して、電池情報の「項目」および「異常の内容」に対応する「記憶時間」（「異常発生前」、「異常発生後」）および「時間間隔」を設定する。
【００８０】
ここで、図５〜図９を参照して、記憶時間の例を示す。また、図７では時間間隔の例を示す。
図５〜図９のそれぞれでは、時刻Ｔ（ｋ）を表す軸を示してある。ｋを整数として、ｋが小さいほど過去の時刻を表し、ｋが大きいほど未来の時刻を表す。時刻Ｔ（ｋ）と時刻Ｔ（ｋ＋１）との時間間隔は一定であるとする。また、ｋ＝ｎ（ｎは任意の整数）であるときに該当する時刻Ｔ（ｎ）に異常が発生したとする。
【００８１】
図５は、異常が発生した時点Ａ１の時間Ｔ（ｎ）のみを記憶時間とする場合の一例を示す図である。この場合、記憶制御部２１４は、時刻Ｔ（ｎ）のときにおける電池情報を記憶部２１５に記憶するように制御する。
【００８２】
図６は、異常が発生した時点Ａ１１よりも前の時点Ａ１２から後の時点Ａ１３までの時間（期間Ｌ１）を記憶時間とする場合の一例を示す図である。この場合、記憶制御部２１４は、時点Ａ１２に対応する時刻Ｔ（ｎ−３）から時点Ａ１３に対応する時刻Ｔ（ｎ＋２）までの記憶時間における電池情報を記憶部２１５に記憶するように制御する。
【００８３】
図７は、異常が発生した時点Ａ２１よりも前の時点Ａ２４から後の時点Ａ２６までの時間（期間Ｌ１１）を記憶時間として時間間隔Ｌ１２が設定された場合の一例を示す図である。この場合、記憶制御部２１４は、時点Ａ２４に対応する時刻Ｔ（ｎ−３）から時点Ａ２６に対応する時刻Ｔ（ｎ＋２）までの記憶時間において、時間間隔Ｌ１２ごとの電池情報を記憶部２１５に記憶するように制御する。つまり、記憶制御部２１４は、時刻Ｔ（ｎ−３）の時点Ａ２４における電池情報、時刻Ｔ（ｎ−２）の時点Ａ２３における電池情報、時刻Ｔ（ｎ−１）の時点Ａ２２における電池情報、時刻Ｔ（ｎ）の時点Ａ２１における電池情報、時刻Ｔ（ｎ＋１）の時点Ａ２５における電池情報、時刻Ｔ（ｎ＋２）の時点Ａ２６における電池情報を記憶する。
【００８４】
図８は、異常が発生した時点Ａ３１とそれよりも前の時間（期間Ｌ２１）を記憶時間とする場合の一例を示す図である。この場合、記憶制御部２１４は、時点Ａ３２に対応する時刻Ｔ（ｎ−３）から時点Ａ３１に対応する時刻Ｔ（ｎ）までの記憶時間における電池情報を記憶部２１５に記憶するように制御する。
【００８５】
図９は、異常が発生した時点Ａ４１とそれよりも後の時間（期間Ｌ３１）を記憶時間とする場合の一例を示す図である。この場合、記憶制御部２１４は、時点Ａ４１に対応する時刻Ｔ（ｎ）から時点Ａ４２に対応する時刻Ｔ（ｎ＋２）までの記憶時間における電池情報を記憶部２１５に記憶するように制御する。
【００８６】
以上のように、変形例５に係る電池装置１における電池制御装置２では、電池セルＢ１〜Ｂ７の異常が発生した際に解析に要するデータの量を適切な量として解析の負担を低減させることができる。
変形例５に係る電池装置１における電池制御装置２では、時間設定テーブル１０１１を用いることで、記憶時間を設定することができ、さらに、必要に応じて、時間間隔を設定することができる。
【００８７】
［変形例６］
図１０は、本発明の変形例６に係る制御部３７ａの概略的な構成を示す図である。
制御部３７ａは、状態取得部２１１と、記憶制御部２１４と、記憶部２１５と、監視部３１１を備える。
また、制御部３７ａは、図示を省略してあるが、診断部２１２（図１０では図示せず）と、時間設定部２１３（図１０では図示せず）を備える。
【００８８】
ここで、変形例６では、制御部３７ａは、変形例４と同じ機能を有するとともに、変形例６で説明する監視部３１１に関するさらなる機能を備えている。このため、変形例６では、変形例４と同じ機能については詳しい説明を省略し、図３に示されるのと同じ符号を付して説明する。
また、状態出力部Ｅ１については、図２に示されるものと同様である。
なお、説明の便宜上、図１０に示されていない電池装置１および電池セルＢ１〜Ｂ７などについては、図１に示されるのと同じ符号を付して説明する。
また、変形例６に係る構成は、例えば、図２に示される制御部３７に適用されてもよい。
【００８９】
監視部３１１は、状態取得部２１１の動作の状況を監視する。そして、監視部３１１は、状態取得部２１１の動作異常が発生したことを検出した場合に、当該動作異常の発生時における状態取得部２１１の動作の状況を表す情報を記憶制御部２１４に出力する。
ここで、監視部３１１は、例えば、状態取得部１１１に対してデータを要求し、この要求に応じて状態取得部２１１から監視部３１１に出力されるデータを取得する。監視部３１１は、状態取得部２１１から取得されたデータに基づいて、状態取得部２１１の動作について異常（動作異常）の有無を判定する。当該動作異常としては、例えば、システムエラー、あるいは、通信エラーが含まれてもよい。
【００９０】
記憶制御部２１４は、監視部３１１により状態取得部１１１の動作異常が発生したことが検出された場合、監視部３１１から出力された情報に基づいて、当該動作異常の発生時における状態取得部１１１の動作の状況を表す情報を記憶部２１５に記憶させる。
ここで、動作異常の発生時における状態取得部１１１の動作の状況を表す情報としては、例えば、動作異常が発生した時刻および異常の内容を含む。
【００９１】
以上のように、変形例６に係る電池装置１における電池制御装置２では、電池セルＢ１〜Ｂ７の異常ばかりでなく、電池情報を取得する状態取得部１１１の動作異常が発生した際に解析に要するデータの量を適切な量として解析の負担を低減させることができる。なお、状態取得部１１１の動作異常の解析では、電池情報は必ずしも必要ではない。
【００９２】
以上に示した実施形態に係る各装置（例えば、電池装置１における電池制御装置２の制御部３７、３７ａなど）の機能を実現するためのプログラムをコンピュータ読み取り可能な記録媒体（記憶媒体）に記録して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）或いは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。また、記録媒体としては、例えば、一時的にデータを記録する記録媒体であってもよい。
【００９３】
さらに、「コンピュータ読み取り可能な記録媒体」とは、インターネット等のネットワーク或いは電話回線等の通信回線を介してプログラムが送信された場合のサーバ或いはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）或いは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【００９４】
以上、本発明の実施形態について図面を参照して詳述したが、具体的な構成はこの実施形態に限られるものではなく、本発明の要旨を逸脱しない範囲の設計変更等も含まれる。
【符号の説明】
【００９５】
１…電池装置、２…電池制御装置、１１、１２…接続端、３１…温度センサ、３２…電流検出抵抗、３３…遮断部、３４…ヒューズ、３５…共振器、３６…通信部、３７、３７ａ…制御部、３８…シールド、５１…放電遮断部、５２…充電遮断部、１１１、２１１…状態取得部、１１２、２１２…診断部、１１３、２１３…時間設定部、１１４、２１４…記憶制御部、１１５、２１５…記憶部、３１１…監視部、１０１１…時間設定テーブル、Ａ１、Ａ１１〜Ａ１３、Ａ２１〜Ａ２６、Ａ３１〜Ａ３２、Ａ４１〜Ａ４２…時点、Ｂ１〜Ｂ７…電池セル、Ｃ１…電池部、Ｅ１…状態出力部、Ｌ１、Ｌ１１、Ｌ２１、Ｌ３１…期間、ｓ１〜ｓ７、ｓ１１、ｓ２１、ｓ３１…配線
【図１】
2019176641.tif 000003
【図２】
2019176641.tif 000004
【図３】
2019176641.tif 000005
【図４】
2019176641.tif 000006
【図５】
2019176641.tif 000007
【図６】
2019176641.tif 000008
【図７】
2019176641.tif 000009
【図８】
2019176641.tif 000010
【図９】
2019176641.tif 000011
【図１０】
2019176641.tif 000012